(57)【特許請求の範囲】
【請求項１】
第一部材に対して相対的な位置関係を変更可能な第二部材に取り付けられ、第一部材及び第二部材が第一の位置関係にある場合に解除状態にあり第二の位置関係にある場合にラッチ状態にあるラッチ装置であって、
第二の位置関係にある場合に第一部材に対する第二部材の相対的な位置関係を変更不能にするラッチ本体と、
ラッチ本体を付勢する付勢手段と、
第一部材に対する第二部材の第一の位置関係から第二の位置関係への位置移動及び第二の位置関係から第一の位置関係への位置移動に伴い付勢手段によるラッチ本体に対する付勢方向を変更する変更手段とを備えてなり、
ラッチ本体が、第二部材が第二の位置関係から所定位置まで移動された時から第一の位置関係まで第二部材の内部に収容されるものであるラッチ装置。
【請求項２】
ラッチ本体が、作用側端部にラッチ爪を備えて作用側端部が揺動可能であり、付勢手段が、ラッチ本体の作用側端部とは反対の端部に設けられる錘である請求項１記載のラッチ装置。
【請求項３】
変更手段が、ラッチ本体の作用側端部と錘との間に設けられる回動軸である請求項２記載のラッチ装置。
【請求項４】
ラッチ本体が、第二の位置関係において取り付けられている部材から作用側端部を突出する請求項１、２又は３記載のラッチ装置。
【発明の詳細な説明】
【技術分野】
【０００１】
本発明は、家具に使用されるラッチ装置に関するものである。
【背景技術】
【０００２】
家具本体に設けた固定天板に対して展開位置と折畳位置との間で相対移動可能な折畳天板を備えた折畳天板付家具が知られている。その一例として、例えば特許文献１に示すように、展開位置にある折畳天板を支持し得る箱枠状の脚を、折畳天板及び固定天板の下面に連続して形成した第１案内溝と、家具本体に形成した第２案内溝とによってスライド移動可能に支持させたものが挙げられる。具体的には、脚の上端部から水平方向に延伸する折畳天板受けを前記第１案内溝に案内させるとともに、脚の中間部位から水平方向に延伸する横架材を第２案内溝に案内させることにより、脚をスライド移動させるようにしている。
【０００３】
このような折畳天板付家具にあって、折畳天板を折畳位置から不意に折畳天板が側方に振れないように、ラッチ機構を用いて折畳天板を脚に留めるように構成することも知られている。このような構成において使用されるラッチ機構としては例えば、特許文献２に記載のもののように、ラッチケースからラッチ本体のヘッド部が突出する構造のものが一般的である。
【特許文献１】実開昭５０−１３９１６号公報
【特許文献２】特開平８−１８４２４４号公報
【発明の開示】
【発明が解決しようとする課題】
【０００４】
ところが、特許文献２に記載のラッチ機構のように、ラッチ本体のヘッド部がラッチケースから突出している構造のものでは、取付場所によっては使用時に使用者のじゃまになることがある。例えば、特許文献１に記載の折畳天板付家具にあっては、折畳天板の下面にラッチ装置を取り付け、ラッチ装置のヘッド部が係合する係合部を例えば脚に設ける必要がある。このような構成であると、折畳天板を使用する場合つまり折畳天板を家具本体の側方に展開した場合に、折畳天板の下面にラッチ本体のヘッド部が露出している状態となる。このため、折畳天板の下側の下肢空間に使用者が脚を入れた場合に、そのヘッド部に接触して不具合を生じた。
【０００５】
本発明は、このような課題に着目してなされたものであって、主たる目的は、ラッチ本体が露出することなく目的の部材に取り付けることが可能なラッチ装置を提供することにある。
【課題を解決するための手段】
【０００６】
すなわち、本発明のラッチ装置は、第一部材に対して相対的な位置関係を変更可能な第二部材に取り付けられ、第一部材及び第二部材が第一の位置関係にある場合に解除状態にあり第二の位置関係にある場合にラッチ状態にあるラッチ装置であって、
第二の位置関係にある場合に第一部材に対する第二部材の相対的な位置関係を変更不能にするラッチ本体と、ラッチ本体を付勢する付勢手段と、第一部材に対する第二部材の第一の位置関係から第二の位置関係への位置移動及び第二の位置関係から第一の位置関係への位置移動に伴い付勢手段によるラッチ本体に対する付勢方向を変更する変更手段とを備えてなり、ラッチ本体が、第二部材が第二の位置関係から所定位置まで移動された時から第一の位置関係まで第二部材の内部に収容されるものであることを特徴とする。
【０００７】
本発明の構成によれば、付勢手段によるラッチ本体に対する付勢方向を、第一部材と第二部材との相対的な位置関係の変更に伴って変更手段により変更するものである。したがって、解除状態とラッチ状態とにおいて、ラッチ本体の姿勢あるいは位置を異なるものにすることが可能である。つまり、解除状態においてラッチ本体が収納された姿勢あるいは位置にしておき、ラッチ状態においてラッチ本体が少なくともその一部が露出する姿勢あるいは位置にすることが可能である。したがって、特別な操作をすることなく第一部材と第二部材とがその相対的な位置関係を変更できないラッチ状態とする場合以外はラッチ本体を隠しておくことが可能になる。
【０００８】
具体的には、ラッチ本体が、作用側端部にラッチ爪を備えて作用側端部が揺動可能であり、付勢手段が、ラッチ本体の作用側端部とは反対の端部に設けられる錘であるものが挙げられる。このような構成であれば、第一部材と第二部材との相対的な位置関係の変更に伴い、錘の自重によりラッチ本体が揺動し、作用側端部に対する付勢方向を変更することが可能になる。このような構成において、ラッチ本体の揺動を確実にするためには、変更手段が、ラッチ本体の作用側端部と錘との間に設けられる回動軸であるものが好ましい。
【０００９】
使用時に作動するようにするには、ラッチ本体が、第二の位置関係において取り付けられている部材から作用側端部を突出するものが好適である。
【発明の効果】
【００１０】
本発明は、以上説明したような構成であり、付勢手段によるラッチ本体に対する付勢方向を、第一部材と第二部材との相対的な位置関係の変更に伴って変更手段により変更することにより、解除状態とラッチ状態とにおいて、ラッチ本体の姿勢あるいは位置を異なるものにすることができる。したがって、解除状態においてラッチ本体が収納された姿勢あるいは位置にしておき、ラッチ状態においてラッチ本体が少なくともその一部が露出する姿勢あるいは位置にすることができ、特別な操作をすることなく第一部材と第二部材とがその相対的な位置関係を変更できないラッチ状態とする場合以外はラッチ本体を隠しておくことができる。
【発明を実施するための最良の形態】
【００１１】
以下、本発明の一実施形態を、図１〜６を参照して説明する。
【００１２】
本実施形態に係るラッチ装置１は、図１，２に示すように、家具である折畳天板付ワゴンＷＧＮに取り付けられている。折畳天板付ワゴンＷＧＮは、第一部材であるワゴン本体２と、ワゴン本体２の上面側に設けた固定天板３と、展開位置（ＤＰ）と折畳位置（ＦＰ）との間で折畳動作可能な第二部材である折畳天板４と、展開位置（ＤＰ）にある折畳天板４を支持する脚５と、ワゴン本体２と固定天板３との間に配置されて脚５の移動を案内する案内支持機構６と、折畳天板４を折畳位置（ＦＰ）から展開位置（ＤＰ）に移動させる際に折畳天板４を上方向に向けて付勢する駆動手段であるガススプリング７と、折畳位置（ＦＰ）において折畳天板４をワゴン本体２の右側壁２ａに静止させるラッチ装置１とを備えたものである。この折畳天板付ワゴンＷＧＮは、ワゴン本体２の下面に取り付けられたキャスタ８により移動可能に構成されている。
【００１３】
ワゴン本体２は、それ自体の構成は限定されるものではないが、折畳天板４が折り畳まれる折畳位置（ＦＰ）側の側壁（右及び／又は左側壁）は、ラッチ装置１のラッチ状態を解除する解除機構９を配置する空間を有するものが好ましい。この実施形態においては、右側壁２ａ内に解除機構９を収納している。解除機構９については後述する。
【００１４】
脚５は、下端が連結された二本の円柱体からなる脚本体５ａと、脚本体５ａの上端において結合されワゴン本体２に対して脚本体５ａを進退させるとともに折畳天板４をその長手方向において支持する水平支持部材５ｂとを備えている。脚本体５ａは、水平支持部材５ｂの延出側の端部を支持するものである。水平支持部材５ｂは、折畳天板４が折畳位置（ＦＰ）にある場合には案内支持機構６内に退避しており、折畳天板４が展開位置（ＤＰ）に移動された場合に、案内支持機構６に案内されて折畳天板４の幅方向のほぼ中央を支持しながら所定位置まで延出するものである。
【００１５】
ガススプリング７は、延出された水平支持部材５ｂより外側つまり折畳天板４の幅方向の縁部側の、折畳天板４の下面４ａに設けられたチャネル部材７ａの内側に配置してある。これにより、ガススプリング７は、作動時及び非作動時の両方においてチャネル部材７ａの外側には現れず、折畳天板４の下方の下肢空間となる空間を狭くすることがないように取り付けてある。このガススプリング７は、折畳天板４を展開位置（ＤＰ）から折畳位置（ＦＰ）に移動させる際には付勢力を発生しない構成になっている。
【００１６】
ラッチ装置１は、このガススプリング７を取り付けているチャネル部材７ａのワゴン本体２とは反対側の端部に取り付けてある。この実施形態においては、ラッチ装置１は、このチャネル部材７ａの端部に取り付けられる以外に、延出された水平支持部材５ｂを挟んで反対側の対応する位置にも取り付けてある。したがって、ラッチ装置１は、折畳天板４に２個取り付けられているものである。
【００１７】
ラッチ装置１は、ケース１ａと、ケース１ａ内部に揺動可能に取り付けられるラッチ本体１ｂと、ラッチ本体１ｂをケース１ａに取り付ける取付軸１ｃと、ラッチ本体１ｂに一体的に取り付けられる錘１ｄとを備えている。ケース１ａは、例えばプラスチック製のブロック体で、図３に示すように、折畳天板４が展開位置（ＤＰ）にある場合、つまりラッチ装置１が作動していない解除状態（ラッチ本体１ｂがラッチ動作のために他の部材すなわちワゴン本体２に係合していない状態）において、ラッチ本体１ｂを収納するに十分な内部空間を有している。ケース１ａの内部空間には、折畳天板４が展開位置（ＤＰ）にある場合のラッチ本体１ｂの揺動を禁止する傾斜面１ａａ、及び折畳天板４が折畳位置（ＦＰ）にある場合のラッチ本体１ｂの揺動を禁止する平坦面１ａｂが形成してある。
【００１８】
ラッチ本体１ｂは、板体からなり、一方の端部すなわち作用側端部１ｂａが鉤型に形成されており、取付軸１ｃを挟んで作用側端部１ｂａとは反対側の他方端部に錘１ｄが取り付けられてなる。具体的には、ラッチ本体１ｂは、作用側端部１ｂａに解除機構９が作用する解除用凸部１ｂｂ、その解除用凸部１ｂｂに連続してワゴン本体２と係合する鉤部１ｂｃ、鉤部１ｂｃに連続して取付軸１ｃが取り付けられる軸部１ｂｄ、及び軸部１ｂｄに連続し軸部１ｂｄより幅広で錘１ｄが取り付けられる錘部１ｂｅを備えている。解除用凸部１ｂｂは、解除機構９を構成する解除バー９ａが接触する長さに形成してある。鉤部１ｂｃは、ワゴン本体２の右側壁２ａに設けられたスリット２ｂに引っ掛かる（係合する）ように形成してある。軸部１ｂｄは、その中央に取付軸１ｃが貫通するように貫通孔（図示しない）が設けてある。錘部１ｂｅは、錘１ｄの取付位置をラッチ本体１ｂの取付軸１ｃの中心を通る長手軸線ＬＬから偏倚させるために、幅広に形成してある。
【００１９】
この錘部１ｂｅにおける錘１ｄの取付位置は、傾斜面１ａａに接触している状態のラッチ本体１ｂが、折畳天板４の位置の移動に伴ってケース１ａの傾斜面１ａａから離れるタイミング言い換えれば折畳天板４の位置もしくは姿勢に関係している。折畳天板４を展開位置（ＤＰ）に配置している場合、図３に示すように、ラッチ本体１ｂはケース１ａの傾斜面１ａａに接触している。この状態では、錘１ｄがラッチ本体１ｂの長手軸線ＬＬよりも下側で、かつ取付軸１ｃの中心を通る水平線ＨＬよりも上側に位置するように、錘１ｄの取付中心の位置が設定される。
【００２０】
このような錘１ｄの取付位置に対して、折畳天板４の下面４ａに対して傾斜している傾斜面１ａａの傾斜角度は、折畳天板４が展開位置（ＤＰ）から折畳位置（ＦＰ）の近傍まで移動した時点で、ラッチ本体１ｂに対する付勢方向が変更されてラッチ本体１ｂの鉤部１ｂｃがケース１ａから突出するように設定されている。つまり、折畳天板付ワゴンＷＧＮが水平な床ＦＬに置いてある場合に、傾斜面１ａａが垂直線と一致するまでは鉤部１ｂｃが傾斜面１ａａに接触している状態を維持するように、折畳天板４の下面４ａに対して傾斜面１ａａの角度が設定してある。これに対して平坦面１ａｂは、ラッチ本体１ｂが揺動して鉤部１ｂｃをケース１ａから突出した状態で、ラッチ本体１ｂの長手軸線ＬＬが折畳天板４の下面４ａに垂直な状態を上回って揺動することを禁止するように形成してある。
【００２１】
解除機構９は、一対の解除バー９ａ，９ａと、解除バー９ａ，９ａを連動させる連動ピン９ｂと、一方の解除バー９ａを下方に付勢するスプリング９ｃと、それぞれの解除バー９ａ，９ａを揺動可能に支持する支持軸９ｄ，９ｄとを備えている。それぞれの解除バー９ａ，９ａの相互に重なり合う端部には、連動ピン９ｂが貫通する長孔９ｅが設けてある。この解除機構９は、常時は一方の解除バー９ａがスプリング９ｅにより下方向に付勢され、その付勢力が連動ピン９ｂを介して他方の解除バー９ａに作用して両方の解除バー９ａ，９ａが水平な状態を維持しており、この水平な状態ではスリット２ｂからラッチ本体１ｂの作用側端部１ｂａが進入してきても、解除用凸部１ｂｂに接触しない。そして、ラッチ本体１ｂの作用側端部１ｂａがスリット２ｂから進入してラッチ状態にある場合に、連動ピン９ｂを引き上げると連動ピン９ｂがそれぞれの長孔９ｅ，９ｅ内で摺動してそれぞれの解除バー９ａ，９ａの相互に重なり合う端部が上昇し、反対に重なり合っていない端部が降下し、ラッチ本体１ｂの作用側端部１ｂａの解除用凸部１ｂｂを押し下げて、ラッチ装置１を解除するものである。
【００２２】
このような構成において、折畳天板４が水平支持部材５ｂを延出した状態の脚５において支持される展開位置（ＤＰ）にある場合、ワゴン本体２と折畳天板４とは第一の位置関係にありラッチ装置１は解除状態にある。この解除状態においては、図３に示すように、錘１ｄの重心はラッチ本体１ｂの取付軸１ｃの中心より上側に位置し、ラッチ本体１ｂの作用側端部１ｂａが錘１ｄにより上向きつまりケース１ａの傾斜面１ａａに向かって付勢されている。そして、ラッチ本体１ｂは、その作用側端部１ｂａがケース１ａの傾斜面１ａａに接触していることから、作用側端部１ｂａが取付軸１ｃの中心より上に行かない状態で静止して、ラッチ本体１ｂ全体がケース１ａ内に収納された状態に維持されるものである。したがって、折畳天板４を使用して作業をする場合に、折畳天板４の下の下肢空間を広くすることができ、使用者の脚にラッチ本体１ｂが接触することを防止することができる。
【００２３】
次に、折畳天板４が展開位置（ＤＰ）にある状態から、水平支持部材５ｂを案内支持機構６に案内させて退避させ、脚本体５ａをワゴン本体２の右側壁２ａに接触させ、脚５を退避させた状態で折畳天板４を折畳位置（ＦＰ）に向かって移動させる。この移動中にあっては、ラッチ本体１ｂの長手軸線ＬＬが水平な床ＦＬに対して垂直になるまでの間、錘１ｄによりケース１ａの傾斜面１ａａに向かって付勢されている。したがって、この移動の間、ラッチ本体１ｂはケース１ａから突出することがない。
【００２４】
この後さらに折畳天板４をワゴン本体２側に移動させると、錘１ｄの重心と取付軸１ｃの中心とが水平な床ＦＬに対して垂直な線上に並んだ直後に、錘１ｄの重心と取付軸１ｃの中心とを通る線分が水平な床ＦＬに対して垂直な線を越えて折畳天板４の移動方向とは反対の方向に傾く。これによって、錘１ｄによるラッチ本体１ｂの作用側端部１ｂａの付勢方向が、それまでの傾斜面１ａａ側から反対の方向に変更になる。したがって、ラッチ本体１ｂが取付軸１ｃを回転の中心として回転し、ラッチ本体１ｂの作用側端部１ｂａがケース１ａから突出するものである。
【００２５】
このようにラッチ本体１ｂは回転するが、ケース１ａの平坦面１ａｂに錘部１ｂｅが接触するので、ラッチ本体１ｂは折畳天板４の下面４ａに対してほぼ垂直な角度を維持して静止するものである。このラッチ本体１ｂの突出状態は、折畳天板４がワゴン本体２の右側壁２ａに接触する直前の位置において発生する。
【００２６】
そして、折畳天板４をほぼワゴン本体２の右側壁２ａに接触する状態まで移動させると、ラッチ本体１ｂは上述の状態を維持しているので、ラッチ本体１ｂの作用側端部１ｂａがワゴン本体２の右側壁２ａに形成されたスリット２ｂに進入する。このようにしてラッチ本体１ｂの作用側端部１ｂａがスリット２ｂに進入すると、図４に示すように、ワゴン本体２と折畳天板４とを第二の位置関係になりラッチ本体１ｂの鉤部１ｂｃがスリット２ｂの上縁に係合しラッチ状態となる。
【００２７】
このように、ラッチ装置１は、折畳天板４の位置を展開位置（ＤＰ）から折畳位置（ＦＰ）に変更するための折畳天板４の移動に伴って、付勢手段である錘１ｄが変更手段である取付軸１ｃにより回転することによって位置を変更させられてラッチ本体１ｂに対する付勢方向を変更する。したがって、ラッチ装置１が作動する（ラッチ状態になる）まで、ラッチ本体１ｂはケース１ａ内に収納されているので、折畳天板４を移動する作業中にラッチ本体１ｂが作業を阻害することを防止することができる。
【００２８】
次に、折畳天板４を折畳位置（ＦＰ）から展開位置（ＤＰ）に移動させる場合は、解除機構９を作動させる。解除機構９は、連動ピン９ｂを上方に引き上げると、それぞれの解除バー９ａ，９ａが支持軸９ｄ，９ｄを中心にしてそれぞれ回転し、互いに重なり合っていない端部が降下することによりラッチ本体１ｂの解除用突起１ｂｂを押し下げる。これにより、ラッチ本体１ｂの鉤部１ｂｃがスリット２ｂの上縁から離れ、ラッチ装置１は解除状態になる。
【００２９】
この状態において、折畳天板４を展開位置（ＤＰ）に向かって移動させると、ケース１ａから突出していたラッチ本体１ｂの作用側端部１ｂａは、ラッチ本体１ｂが揺動することによりケース１ａ内に収納される。すなわち、折畳天板４を移動させると、錘１ｄの重心と取付軸１ｃの中心とが水平な床ＦＬに対して垂直な線上に並んだ直後に、錘１ｄの重心と取付軸１ｃの中心とを通る線分が水平な床ＦＬに対して垂直な線を越える。この時に、錘１ｄによるラッチ本体１ｂの付勢方向が、それまでの折畳天板４の下面４ａにほぼ平行な方向から、折畳天板４の下面４ａにほぼ垂直な方向に切り替わり、作用側端部１ｂａがケース１ａの傾斜面１ａａに接触するまでラッチ本体１ｂが回転するものである。
【００３０】
したがって、ラッチ本体１ｂは、折畳天板４を折畳位置（ＦＰ）から少し移動させたワゴン本体２の右側壁２ａの近傍の位置において、速やかにケース１ａ内に収納されるものである。それゆえ、折畳位置（ＦＰ）から展開位置（ＤＰ）に折畳天板４の位置を変更する場合においても、ラッチ本体１ｂがケース１ａから突出していないために、折畳天板４を移動する作業を阻害すると言った不具合が生じることを確実に防止することができる。
【００３１】
なお、本発明は、以上に詳述した実施形態に限られるものではない。
【００３２】
錘１ｄは、ラッチ本体１ｂと一体に設けられるものであってもよい。この場合、錘の重心は、上記実施形態と同一位置に設定するものであり、取付軸１ｃから離れ、かつラッチ本体１ｂの長手軸線ＬＬから偏倚した位置になるようにして一体に設けるものである。
【００３３】
次に例えば、図７，８に示すように、上記実施形態の錘１ｄの代わりに、ラッチ本体１０１ｂとは切り離されたほぼＵ字型の錘部材１０１ｅを付勢手段とするものであってもよい。具体的には、ラッチ本体１０１ｂは、上記実施形態と同じ形状のものを使用するもので、取付軸１０１ｃにより揺動可能にケース１０１ａに取り付けてある。そして、錘の代わりに、錘部１０１ｂｅの長手軸線上ＬＬに案内ピン１０１ｂｆを設けるものである。この案内ピン１０１ｂｆは、錘部材１０１ｅの切欠部１０１ｅａにスライド移動可能に係合するものである。錘部材１０１ｅは、切欠部１０１ｅａとは反対側の端部において、ケース１０１ａに錘部材取付軸１０１ｆにより揺動可能に取り付けられるものである。錘部材取付軸１０１ｆは、ラッチ本体１０１ｂがケース１０１ａ内に収納されている状態において、案内ピン１０１ｂｆよりワゴン本体２側で、ラッチ本体１０１ｂの取付軸１０１ｃより折畳天板４側に設けてある。
【００３４】
この例にあっては、ケース１０１ａの内部に、ラッチ本体１０１ｂの揺動を禁止するように作用側端部１０１ｂａに接触する水平平坦面１０１ａｂと、作用側端部１０１ｂａがケース１０１ａから突出した場合に錘部１０１ｂｅに接触する垂直平坦面１０１ａｃとが形成してある。この水平平坦面１０１ａｂと垂直平坦面１０１ａｃとにより、ラッチ本体１０１ｂは解除状態とラッチ状態との位置に静止するものである。
【００３５】
このような構成において、図７に示すように、折畳天板４が展開位置（ＤＰ）にある場合は、錘部材１０１ｅが案内ピン１０１ｂｆをワゴン本体２側に向かう付勢力で付勢しているので、ラッチ本体１０１ｂはその作用側端部１０１ｂａが水平平坦面１０１ａｂに接触して静止している。そして、折畳天板４を展開位置（ＤＰ）から折畳位置（ＦＰ）に移動し始めると、錘部材１０１ｅは折畳天板付ワゴンＷＧＮの置かれた水平な床ＦＬに対して常に垂直な姿勢を保つように、錘部材取付軸１０１ｆにより回転し始める。このように錘部材１０１ｅが回転することにより、錘部材１０１ｅによるラッチ本体１０１ｂの付勢方向はそれまでのワゴン本体２側に向かう方向から、折畳天板４に向かう方向に変化する。したがって、錘部材１０１ｅが付勢手段を構成するとともに、錘部材取付軸１０１ｆ、切欠部１０１ｅａ及び案内ピン１０１ｂｆが変更手段を構成するものである。
【００３６】
このような錘部材１０１ｅの動きに連動して案内ピン１０１ｂｆが案内され、ラッチ本体１０１ｂが回転し始め、水平平坦面１０１ａｂに接触していた作用側端部１０１ｂａが水平平坦面１０１ａｂから離れる。したがって、ラッチ本体１０１ｂの作用側端部１０１ｂａがケース１０１ａの外側に現れる。作用側端部１０１ｂａは、折畳天板４の移動の状態に応じて徐々にケース１０１ａ外に出るものである。
【００３７】
そして、折畳天板４がワゴン本体２の右側壁２ａに接近して折畳位置（ＦＰ）に到達する直前に、ラッチ本体１０１ｂの錘部１０１ｂｃがケース１０１ａの垂直平坦面１０１ａｃに接触し、ラッチ本体１０１ｂの作用側端部１０１ｂａが折畳天板４に対してほぼ垂直に突出した状態になり、作用側端部１０１ｂａがワゴン本体２のスリット２ｂに進入する。これにより、ラッチ本体１０１ｂの鉤部１０１ｂｃがスリット２ｂの上縁に係合して、ラッチ状態となる。
【００３８】
したがって、この例においても、上記実施形態と同様に、折畳天板４が展開位置（ＤＰ）にある場合にラッチ本体１０１ｂがケース１０１ａ内に収納されているので、折畳天板４下の下肢空間を広くすることができ、また折畳天板４をほぼワゴン本体２の右側壁近傍にまで移動した状態で、ラッチ本体１０１ｂの作用側端部１０１ｂａが突出するので、折畳天板４の折畳作業を阻害することを防止することができる。
【００３９】
その他、各部の具体的構成についても上記実施形態に限られるものではなく、本発明の趣旨を逸脱しない範囲で種々変形が可能である。
【産業上の利用可能性】
【００４０】
本発明は、相対的な位置関係を変更可能な第一部材及び第二部材を備える家具に用いることができるもので、上述したような、家具本体に対して補助的に使用される天板を家具本体に一時的に固定する場合や、収納庫本体と、垂直方向において閉鎖し水平方向において開放される扉とを備える収納庫などにおいて、扉に取り付けて利用することができる。
【図面の簡単な説明】
【００４１】
【図１】本発明の実施形態を使用する折畳天板付ワゴンの折畳天板を展開位置に位置させた正面図。
【図２】同実施形態を使用する折畳天板付ワゴンの折畳天板を折畳位置に位置させた正面図。
【図３】同実施形態の解除状態を示す断面図。
【図４】同実施形態のラッチ状態を示す断面図。
【図５】同実施形態の折畳天板付ワゴンの右側壁内部の解除機構を示す側面図。
【図６】同実施形態の折畳天板付ワゴンの右側壁内部の解除機構が作動した状態を示す側面図。
【図７】本発明の変形例を示す図３相当図。
【図８】同変形例を示す図４相当図。
【符号の説明】
【００４２】
１…ラッチ装置
２…ワゴン本体
４…折畳天板
１ｂ…ラッチ本体
１ｄ…錘
１ｃ…取付軸
ＤＰ…展開位置
ＦＰ…折畳位置
【図１】
0004792927.tif 000002
【図２】
0004792927.tif 000003
【図３】
0004792927.tif 000004
【図４】
0004792927.tif 000005
【図５】
0004792927.tif 000006
【図６】
0004792927.tif 000007
【図７】
0004792927.tif 000008
【図８】
0004792927.tif 000009